(57)【要約】【課題】防水パンの載置前に、保温材を容易に取り付け可能な浴室の床構造を提供すること。【解決手段】本発明は、躯体１００上に配置されるフレーム２０と、フレーム２０上に載置される防水パン３０と、防水パン３０の裏面３５側においてフレーム２０の内側に配置される板状の保温材５０と、を備え、保温材５０は、フレーム２０に配置される支持部６０を介して、裏面側から支持される浴室の床構造１０を提供する。【選択図】図３
2017133181.tif 000002
【特許請求の範囲】
【請求項１】
躯体上に配置されるフレームと、
前記フレーム上に載置される防水パンと、
前記防水パンの裏面側において前記フレームの内側に配置される板状の保温材と、を備え、
前記保温材は、前記フレームに配置される支持部を介して、裏面側から支持される浴室の床構造。
【請求項２】
前記支持部は、
前記保温材の裏面側に配置され、該裏面を支持する保温材支持部と、
前記フレームの表面側に配置され、該表面に引掛けられる引掛け部と、を有する請求項１に記載の浴室の床構造。
【請求項３】
前記フレームは、外周部と、該外周部の内側に配置される桟と、を有し、
前記保温材は、前記桟によって前記フレームの内側に形成される開口部を覆うように配置される請求項１又は２に記載の浴室の床構造。
【請求項４】
前記支持部は、前記フレームに取り付け固定される請求項１から３いずれかに記載の浴室の床構造。
【請求項５】
前記支持部は、前記保温材に取り付け固定される請求項１から３いずれかに記載の浴室の床構造。
【請求項６】
前記支持部は、フレームと一体に形成されている請求項１に記載の浴室の床構造。
【発明の詳細な説明】
【技術分野】
【０００１】
本発明は、浴室の床構造に関する。
【背景技術】
【０００２】
従来、躯体上に配置されたフレーム上に防水パンが載置された後、該フレームに該防水パンを固定させる浴室の床構造が知られている。この浴室の床構造においては、防水パンの裏面側に保温材シートを取り付けて、浴室の保温性を高める必要がある。
【０００３】
そこで、特許文献１の浴室の床構造では、リブを設けた防水パンの裏面側に保温材シートを全面に亘って取り付け、その保温材シートの裏面側にフレームを配置し、フレームに装着したＬ字状の取り付け金具により、保温材シートの裏側からリブに固定ビスを打入する保温材の取り付け方法が採用されている。
【先行技術文献】
【特許文献】
【０００４】
【特許文献１】特許第３８７６６６０号公報
【発明の概要】
【発明が解決しようとする課題】
【０００５】
しかしながら、特許文献１のような従来の浴室の床構造では、保温材シートは上述の取り付け金具やネジ等の固定部品を使用して、防水パンの裏面に取り付けられるため、保温材の取り付け作業に手間を要していた。また、上述の保温材シートの取り付けには、予めフレームと防水パンを一体にする必要があり、その後の排水トラップの取り付け作業や配管接続作業において、防水パンが邪魔になり、施工作業全体の効率が悪い。
【０００６】
本発明は、上記課題に鑑みなされたものであり、防水パンの載置前に、保温材を容易に取り付け可能な浴室の床構造を提供することを目的とする。
【課題を解決するための手段】
【０００７】
上記目的を達成するため本発明は、躯体（例えば、後述する躯体１００）上に配置されるフレーム（例えば、後述するフレーム２０）と、前記フレーム上に載置される防水パン（例えば、後述する防水パン３０）と、前記防水パンの裏面（例えば、後述する裏面３５）側において前記フレームの内側に配置される板状の保温材（例えば、後述する保温材５０）と、を備え、前記保温材は、前記フレームに配置される支持部（例えば、後述する支持部材６０、第１支持部材６１、第２支持部材６２、第１支持部材の変形例の支持部６３、第３支持部材６４、第１支持部６５、第２支持部６６）を介して、裏面側から支持される浴室の床構造（例えば、後述する浴室の床構造１０）を提供する。
【０００８】
また、前記支持部は、前記保温材の裏面側に配置され、該裏面を支持する保温材支持部（例えば、後述する第１保温材支持部６１Ｄ，６３Ｄ，６５Ｄ、第２保温材支持部６１Ｅ，６３Ｅ，６５Ｅ、保温材支持部６２Ｄ，６４Ｈ，６６Ｄ）と、前記フレームの表面側に配置され、該表面に引掛けられる引掛け部（例えば、後述する第１引掛け部６１Ｂ，６３Ｂ，６４Ｂ、第２引掛け部６１Ｃ，６３Ｃ，６４Ｃ、引掛け部６２Ｂ）と、を有することが好ましい。
【０００９】
前記フレームは、外周部（例えば、後述する外周部２１）と、該外周部の内側に配置される桟（例えば、後述する桟部２３）と、を有し、前記保温材は、前記桟によって前記フレームの内側に形成される開口部（例えば、後述する第１開口部２６Ａ〜第４開口部２６Ｄ）を覆うように配置される（例えば、後述する第１保温材５１Ａ〜第４保温材５１Ｄ）ことが好ましい。
【００１０】
前記支持部は、前記フレームに取り付け固定されることが好ましい。
【００１１】
前記支持部は、前記保温材に取り付け固定されることが好ましい。
【００１２】
前記支持部は、前記フレームと一体に形成されることが好ましい。
【発明の効果】
【００１３】
本発明によれば、防水パンの載置前に、保温材を容易に取り付け可能な浴室の床構造を提供することができる。
【図面の簡単な説明】
【００１４】
【図１】本発明の第１実施形態に係る浴室の床構造を有する浴室を示す平面図である。
【図２】第１実施形態に係る浴室の床構造が備えるフレームと、防水パンを模式的に表したものと、を示す斜視図である。
【図３】第１実施形態に係る浴室の床構造が備えるフレーム、保温材及び支持部材の斜視図である。
【図４】第１実施形態に係る浴室の床構造が備えるフレーム及び支持部材の斜視図である。
【図５】図３におけるＡ−Ａ線断面部分に防水パンを載置した図である。
【図６】第１実施形態に係る第１支持部材の斜視図である。
【図７Ａ】第１実施形態に係る第１支持部材の桟部への取り付けを説明するための図である。
【図７Ｂ】第１実施形態に係る第１支持部材の桟部への取り付けを説明するための図である。
【図７Ｃ】第１実施形態に係る第１支持部材の桟部への取り付けを説明するための図である。
【図８】図３におけるＢ−Ｂ線断面部分に防水パンを載置した図である。
【図９】第１実施形態に係る第２支持部材の斜視図である。
【図１０Ａ】第１実施形態に係る第２支持部材の外周部への取り付けを説明するための図である。
【図１０Ｂ】第１実施形態に係る第２支持部材の外周部への取り付けを説明するための図である。
【図１１】第１実施形態に係る第１支持部材の変形例を示す斜視図である。
【図１２】第１実施形態に係る第１支持部材の変形例を示す正面図である。
【図１３】第２実施形態に係る保温材及び支持部材の斜視図である。
【図１４】第３実施形態に係る浴室の床構造における図３のＡ−Ａ線に対応する箇所での断面図である。
【図１５】第３実施形態に係る浴室の床構造における図３のＢ−Ｂ線に対応する箇所での断面図である。
【発明を実施するための形態】
【００１５】
以下、本発明の一実施形態について、図面を参照しながら詳しく説明する。なお、第２実施形態の説明において、第１実施形態と共通する構成については、同一の符号又は共通の規則性を持って符号を付し、適宜その説明を省略する。
【００１６】
図１は、本発明の第１実施形態に係る浴室の床構造１０を有する浴室１を示す平面図である。図２は、第１実施形態に係る浴室の床構造１０が備えるフレーム２０と、防水パン３０を模式的に表したものと、を示す斜視図である。図３は、第１実施形態に係る浴室の床構造１０が備えるフレーム２０、保温材５０及び支持部材６０の斜視図である。図４は、第１実施形態に係る浴室の床構造１０が備えるフレーム２０及び支持部材６０の斜視図である。
なお図２では、説明の便宜上、保温材５０及び支持部材６０の記載を省略している。  
【００１７】
図１に示すように本実施形態の浴室の床構造１０（洗い場２）は、マンションや戸建て住宅の浴室１を構成する。浴室１は、洗い場２と、浴槽３と、カウンター４と、収納棚５と、鏡６と、水栓７と、シャワー部８と、ドア部９と、を有している。図１に示すように、浴槽３は洗い場２に隣接して設けられ、カウンター４、収納棚５、鏡６、水栓７、シャワー部８及びドア部９は、洗い場２の上部に設けられる。
【００１８】
図２〜図４に示すように、浴室の床構造１０は、フレーム２０と、防水パン３０と、排水トラップ４０と、保温材５０と、支持部材６０と、を備えている。
【００１９】
フレーム２０は、外周部２１と、支持脚部２２と、桟部２３と、取付部２４と、被係合部２５と、を備えている。
【００２０】
外周部２１は、長方形状に形成されており、対向する一対の長辺梁２１Ａ，２１Ｂ及び対向する一対の短辺梁２１Ｃ，２１Ｄを有している。長辺梁２１Ａは浴槽３側に位置する。長辺梁２１Ａの長手方向の中央部には、長辺梁２１Ａの側面部及び底面部からなる排水トラップ４０の取付部２４が構成されている。
【００２１】
桟部２３は、中空状の３つの桟、第１桟２３Ａ、第２桟２３Ｂ及び第３桟２３Ｃを有している。桟部２３は外周部２１に比べて一段下方に設けられている。これら第１桟２３Ａ、第２桟２３Ｂ及び第３桟２３Ｃの上面に防水パン３０が支持される。
【００２２】
支持脚部２２は、４つの支持脚を有し、それぞれの支持脚に高さ（長さ）調整機構を設けている。本実施形態においては、４つの支持脚を用いて、フレーム２０の高さ調整が行われる。これら支持脚部２２による外周部２１の高さ調整が終わった後は、躯体１００上に載置され、それぞれの下端が接着剤等により躯体１００に固定される。
【００２３】
被係合部２５は第２桟２３Ｂ及び第３桟２３Ｃの上面に形成される開口部である。この被係合部２５には、後述する防水パン本体３１の裏面３５に設けられる係合部３７を挿通させた後、所定方向にスライドさせることで、係合部３７が係合される。これにより、防水パン３０はフレーム２０に対して固定される。
【００２４】
続いて、防水パン３０について説明する。防水パン３０は、全体として一枚の板状の防水パン本体３１からなる。
【００２５】
防水パン本体３１の表面には、排水口部３２と、収容凹部３３と、が形成され、裏面３５には、リブ３６と（図５参照）、係合部３７と、が設けられる。この防水パン本体３１は、洗い場２の領域全体をカバーする。
【００２６】
排水口部３２は、防水パン本体３１の外周近傍に設けられており、表面から裏面３５へ連通する貫通形態の円形に形成される。排水口部３２は、表面の４つの隅からこの排水口部３２に向かって、それぞれ下り勾配で傾斜している。
【００２７】
収容凹部３３は、排水口部３２の周辺を浅く凹ませた形態で形成される。この収容凹部３３には、収容凹部３３の形状にほぼ整合し、取り外し可能な目皿が収容される。
【００２８】
裏面３５は、防水パン本体３１に作用する負荷がかかる部位である。この負荷に対する剛性を高める手段として、この裏面３５には、防水パン本体３１に略直角に下方へ突出する後述のリブ３６が裏面３５の全域に亘って形成されている。
【００２９】
リブ３６は、裏面３５の各辺に沿って、フレーム２０側に突出し、格子状に設けられる。リブ３６の高さは、周縁部と中央部とで異なる。該周縁部の突出高さと、該中央部の突出高さとの差によって形成される段差は、上記フレーム２０の外周部２１と、桟部２３によって形成される段差と一致する。そのため、防水パン３０の周縁部の裏面３５の下端が該外周部２１の上端に当接すると同時に、該中央部のリブ３６の下端は桟部２３の上面に当接し、支持される。従って、防水パン本体３１はリブ３６を介して、桟部２３により補強される。
【００３０】
係合部３７は、防水パン本体３１の裏面３５に設けられる。係合部３７は、第２桟２３Ｂ及び第３桟の上面に設けられる被係合部２５に上方から挿通し、所定方向にスライドさせることで、この被係合部２５に係合される。これにより、フレーム２０の桟部２３と、防水パン本体３１の裏面３５と、の接触による音鳴りを抑制できる。
【００３１】
排水トラップ４０は、上面に開口する洗い場用流入口４１と、上面に開口する浴槽用流入口４２と、浴槽側とは反対方向に開口する流出口４３と、この流出口４３に接続する排水パイプ４４と、を有する。洗い場用流入口４１は、後述の防水パン本体３１の排水口部３２に接続され、浴槽用流入口４２は、浴槽３中の排水口３Ａ（図１参照）に接続される。流出口４３は、排水パイプ４４に接続され、浴室１内の排水はこの排水パイプ４４を経由して、浴室外部へ送られる。
【００３２】
フレーム２０の内側には、上述の桟部２３によって、４つの第１開口部２６Ａ、第２開口部２６Ｂ、第３開口部２６Ｃ、第４開口部２６Ｄが形成される。これら第１開口部２６Ａ〜第４開口部２６Ｄには、図３に示すようにそれぞれ保温材５０が各開口部を覆うように配置される。また、保温材５０を裏面５２側（図５参照）から支持する支持部材６０がフレーム２０と保温材５０に跨って配置される。
【００３３】
ここで、保温材５０は、発泡樹脂からなる板状の保温材であり、上記フレーム２０の内側の各開口部に適合する４つの保温材、第１保温材５１Ａ、第２保温材５１Ｂ、第３保温材５１Ｃ及び第４保温材５１Ｄにより構成される。即ち、各開口部には保温材５０が充填されており、これにより、各開口部は保温材５０によって塞がれた状態となっている。これら第１保温材５１Ａ〜第４保温材５１Ｄは、それぞれ後述する支持部材６０の保温材支持部上に載置された状態で、フレーム２０の内側に配置される。
【００３４】
また、浴室の床構造１０の保温性能に鑑み、第１保温材５１Ａ〜第４保温材５１Ｄは、各支持部材６０により支持された状態において、その上面が桟部２３の上面と略同一となるような厚みであることが好ましい。なお、第１保温材５１Ａの長辺梁２１Ａ側中央には、排水トラップ４０設置用の切欠き５１１Ａが形成されている。
【００３５】
図３及び図４に示すように、支持部材６０は、桟部２３に取り付けられる複数の第１支持部材６１と、外周部２１に取り付けられる複数の第２支持部材６２と、によって構成される。本実施形態においては、一つの保温材に対して５つの支持部材６０が使用されており、各保温材は５つの支持部材６０により支持されている。なお、本実施形態における支持部材６０には、金属板を適宣加工することにより形成される。
以下、第１支持部材６１及び第２支持部材６２の詳細について、図５〜図１０を参照して説明する。
【００３６】
ここで、図５は、図３におけるＡ−Ａ線断面部分に防水パン３０を載置した図であり、図６は、第１実施形態に係る第１支持部材６１の斜視図であり、図７Ａ〜図７Ｃは、第１実施形態に係る第１支持部材６１の桟部２３への取り付けを説明するための図である。図８は、図３におけるＢ−Ｂ線断面部分に防水パン３０を載置した図であり、図９は、第１実施形態に係る第２支持部材の斜視図であり、図１０Ａ〜図１０Ｂは、第１実施形態に係る第２支持部材６２の外周部２１への取り付けを説明するための図である。
【００３７】
図５に示すように第１支持部材６１は、桟部２３（図５では第３桟２３Ｃ）の周囲を囲繞するように設けられる。第１支持部材６１は、本体部６１Ａと、第１引掛け部６１Ｂと、第２引掛け部６１Ｃと、第１保温材支持部６１Ｄと、第２保温材支持部６１Ｅと、粘着テープ６１Ｆと、によって構成される。
【００３８】
図６に示すように本体部６１Ａは、角筒形状の桟部２３の外周に嵌合する形状を有する。具体的には、桟部２３の底面に面接触する底面部６１１と、該底面部６１１の両端側から立設して桟部２３の両側面に面接触する両側面部６１２と、を含んで構成される。
【００３９】
第１引掛け部６１Ｂと第２引掛け部６１Ｃは、それぞれ本体部６１Ａの両側面部６１２に連続し、該本体部６１Ａを介して対向して配置される。より詳しくは、これら引掛け部は、本体部６１Ａの両側面部６１２における桟部２３の延設方向一端側から立設し、その先端部（下端部）が桟部２３の上面に面接触するように内側に直角に屈曲して形成される。これにより、各引掛け部の下面が桟部２３の上面に引っかかるようになっている。
【００４０】
また、対向して配置される第１引掛け部６１Ｂと第２引掛け部６１Ｃは、互いに所定距離離間して配置されている。即ち、第１引掛け部６１Ｂの先端部６１３と、第２引掛け部６１Ｃの先端部６１４の間には所定の間隔が形成されており、該隙間に防水パン本体３１のリブ３６が配置される。
【００４１】
第１保温材支持部６１Ｄと第２保温材支持部６１Ｅは、それぞれ本体部６１Ａの両側面部６１２に連続し、該本体部６１Ａを介して対向して配置される。より詳しくは、これら保温材支持部は、本体部６１Ａの両側面部６１２における桟部２３の延設方向他端側から外側に直角に屈曲して延びて形成される。これにより、各保温材支持部の上面に保温材５０の裏面５２が支持されるようになっている。
【００４２】
粘着テープ６１Ｆは、桟部２３の上面、第１引掛け部６１Ｂの上面及び第２引掛け部６１Ｃの上面に亘って貼り付けられる。これにより、第１支持部材６１は、桟部２３（図５では第３桟２３Ｃ）の所定の位置に取り付け固定される。
【００４３】
以上により、第１支持部材６１は、桟部２３（図５では第３桟２３Ｃ）に取り付け固定された状態で、第１保温材支持部６１Ｄにより第１保温材５１Ａの裏面５２Ａを支持するとともに、第２保温材支持部６１Ｅにより第３保温材５１Ｃの裏面５２Ｃを支持する。
【００４４】
ここで、図７Ａ〜図７Ｃに示すように第１支持部材６１は、例えば次のようにして第３桟２３Ｃに取り付けられる。
先ず、板状の金属部材を上述の形状を有する第１支持部材６１に成形加工した後、第１引掛け部６１Ｂと第２引掛け部６１Ｃと間の隙間を拡げた状態で、該隙間から第１支持部材６１の内側に第３桟２３Ｃを挿通させる。これにより、第１支持部材６１が第３桟２３Ｃの外周に嵌合することで、第１支持部材６１は第３桟２３Ｃに取り付けられる。
次いで、粘着テープ６１Ｆを、桟部２３の上面及び各引掛け部の上面に亘って貼り付ける。これにより、第１支持部材６１は第３桟２３Ｃに取り付け固定される。
【００４５】
続いて、図８に示す第２支持部材６２は、外周部２１（図８では、短辺梁２１Ｄ）の外周を囲繞するように設けられる。第２支持部材６２は、本体部６２Ａと、引掛け部６２Ｂと、保温材支持部６２Ｄと、粘着テープ６２Ｆと、によって構成される。
【００４６】
図９に示すように本体部６２Ａは、角筒形状の外周部２１の外周に面接触する形状を有する。具体的には、外周部２１の底面に面接触する底面部６２１と、該底面部６２１の一端側から立設して外周部２１の一側面に面接触する側面部６２２と、を含んで構成される。
【００４７】
引掛け部６２Ｂは、本体部６２Ａの側面部６２２に連続するとともに、該側面部６２２を介して、底面部６２１に対抗して配置される。より詳しくは、引掛け部６２Ｂは、本体部６２Ａの側面部６２２における外周部２１の延設方向一端側から、その先端部６２３（下端部）が外周部２１の上面に面接触するように内側に直角に屈曲して形成される。これにより、引掛け部６２Ｂの下面が外周部２１の上面にひっかかるようになっている。
【００４８】
保温材支持部６２Ｄは、本体部６２Ａに連続して設けられる。より詳しくは、保温材支持部６２Ｄは、本体部６２Ａの側面部６２２における外周部２１の延設方向他端側から外側に直角に屈曲して延びて形成される。これにより、保温材支持部６２Ｄの上面に保温材５０の裏面５２が支持されるようになっている。
【００４９】
粘着テープ６２Ｆは、本体部６２Ａの側面部６２２、引掛け部６２Ｂの上面、外周部２１の上面の一部から該外周部２１の下面の一部及び底面部６２１の下面に亘り貼り付けられる。これにより、第２支持部材６２を外周部２１（図８では、短辺梁２１Ｄ）の所定の位置に固定できる。
【００５０】
ここで、図１０Ａ〜図１０Ｂに示すように、第２支持部材６２は例えば次のようにして短辺梁２１Ｄに取り付けられる。
先ず、板状の金属部材を上述の形状を有する第２支持部材６２に成形加工した後、外周部２１の内側面側から、第２支持部材６２を近接させ、引掛け部６２Ｂと底面部６２１の間に短辺梁２１Ｄを挟み込む。これにより、第２支持部材６２は短辺梁２１Ｄの上面に引っかかった状態になる。
次いで、粘着テープ６２Ｆを、本体部６２Ａの側面部６２２から、短辺梁２１Ｄの外側側面を経由して、第２引掛け部６２Ｃの下面に亘り貼りつける。これにより、第２支持部材６２は短辺梁２１Ｄに取り付け固定される。
【００５１】
なお、本実施形態では、第２支持部材６２を粘着テープ６２Ｆにより、固定する例を説明したが、底面部６２１と先端部６２３の隙間を先端側に向かうほど狭くなるように形成し、該隙間に外周部２１を挟持させるように固定してもよい。
【００５２】
以上のようにして、第１支持部材６１及び第２支持部材６２は、それぞれ図４に示すように外周部２１及び桟部２３上に取り付けられる。その後、外周部２１と桟部２３により形成される第１開口部２６Ａ〜第４開口部２６Ｄに、それぞれ第１保温材５１Ａ〜第４保温材５１Ｄを載置することにより、第１保温材５１Ａ〜第４保温材５１Ｄの裏面側はそれぞれ第１支持部材６１及び第２支持部材６２に支持される（図３参照）。
【００５３】
そして、フレーム２０は、躯体１００上に配置された後、保温材５０及び支持部材６０が配置される。その後、該フレーム２０上に防水パン３０を載置することにより、本実施形態の浴室の床構造１０が製造される。
より詳しくは、防水パン本体３１に設けられた係合部３７と、フレーム２０の被係合部２５との位置合わせをしながら、防水パン３０を水平方向にスライド移動させることにより、被係合部２５と係合部３７とが互いに係合し、桟部２３の上面に、防水パン本体３１のリブ３６の下端が支持される。
【００５４】
また、フレーム２０上に防水パン３０が配置された本実施形態に係る浴室の床構造１０の断面構造は、図５及び図８に示す通りである。これら図５及び図８に示すように、防水パン本体３１の裏面３５側に、保温材５０が配置される。
一方で、防水パン本体３１のリブ３６と、桟部２３の間には保温材５０は設けられていない。即ち、桟部２３の上面は、リブ３６の下端面に当接し、防水パン本体３１はフレーム２０に安定して係合される。
【００５５】
本実施形態によれば、以下の効果が奏される。
本実施形態では、浴室の床構造１０を、躯体１００上に配置されるフレーム２０と、フレーム２０上に載置される防水パン３０と、防水パン３０の裏面３５側においてフレームの内側に配置される板状の保温材５０と、を備え、保温材５０は、フレーム２０に配置される支持部材６０を介して、裏面側から支持される構成にした。
これにより、保温材５０は、フレーム２０の内側において、支持部材６０上に支持され、該フレーム２０上に防水パン３０を載置することで、保温材５０は防水パン３０の裏面３５側に配置される。そのため、防水パン３０の載置前に、保温材５０を容易に取り付け可能である。
更には、防水パン３０の載置前に、排水トラップ４０をフレーム２０に取り付けることが可能であり、施工作業全体の効率が向上する。
【００５６】
また、本実施形態では、支持部材６０は、保温材５０の裏面側に配置され、該裏面を支持する保温材支持部（第１保温材支持部６１Ｄ、第２保温材支持部６１Ｅ及び保温材支持部６２Ｄ）と、フレーム２０の表面側に配置され、該表面に引掛けられる引掛け部（第１引掛け部６１Ｂ、第２引掛け部６１Ｃ及び引掛け部６２Ｂ）と、を有する構成にした。
これにより、支持部材６０はフレーム２０の表面に引掛け部を引っかけるのみで、フレーム２０の内側に保温材５０の各支持部を設けることができる。その結果、保温材５０を容易に取り付け可能であり、浴室の床構造の施工作業を効率的なものにできる。
【００５７】
また、本実施形態では、フレーム２０は、外周部２１と、該外周部２１の内側に配置される桟部２３と、を有し、保温材５０は、桟部２３によってフレーム２０の内側に形成される開口部（第１開口部２６Ａ〜第４開口部２６Ｄ）を覆うように配置される構成にした。
これにより、従来の技術では、フレーム２０と防水パン３０の当接部分を避け、保温材を取り付ける場合、各保温材を、各開口部の面積よりも小さくして設けなければ、防水パン３０のリブ３６に適切に取り付けることができなかったのに対し、本実施形態の各保温材は、各開口部の内側面に設けた各保温材支持部上に支持される。そのため、各保温材は各開口部の内側いっぱいにまで、保温材を設けることで、各保温材と、各開口部のとの隙間を低減させ、保温性能が向上する。
また、防水パン３０の面積が大きく、防水パン３０を補強するためフレーム２０に桟部２３を設ける必要が生じた場合であっても、外周部２１には第１支持部材６１を取り付け、桟部２３には第２支持部材６２を取り付けできる。そのため、各開口部に保温材５０を容易に設置できる。その結果、浴室の床構造の施工作業全体の効率が向上する。
【００５８】
また、本実施形態では、支持部材６０を、フレーム２０に取り付け固定される構成にした。
これにより、支持部材６０は、フレーム２０に排水トラップ４０を配置した後であっても、該フレーム２０に取り付け可能である。その結果、浴室の床構造１０の施工作業全体の効率が向上する。
【００５９】
［変形例］
図１１及び図１２は、第１実施形態に係る第１支持部材６１の変形例の支持部材６３を示す斜視図及び正面図である。これら図１１及び図１２に示すように、本実施形態に係る変形例の支持部材６３は、底面部６３１の中央付近から、下方に延びる折り曲げ部６３Ｇを備える以外は、第１支持部材６１と同一の構成である。
【００６０】
図１１及び図１２に示すように、本実施形態に係る変形例の支持部材６３では、折り曲げ部６３Ｇが底面部６３１の中央部から下方に向かって直角に屈曲して形成されるとともに、一枚板を折り返した構造で形成される。そして、変形例の支持部材６３は、折り曲げ部６３Ｇの下端部６３５（折り返し箇所）を、第１引掛け部６３Ｂの先端部６３３と第２引掛け部６３Ｃの先端部６３４とを離間させる際の支点として利用できる。これにより、第１引掛け部６３Ｂと第２引掛け部６３Ｃの隙間を容易に広げることが可能である。
【００６１】
本実施形態に係る変形例の支持部材６３は、本体部６３Ａの底面部６３１の中央に、折り曲げ部６３Ｇを設けるとともに、該折り曲げ部６３Ｇの下端部６３５を支点として、第１引掛け部６３Ｂと第２引掛け部６３Ｃの間隔を調整可能とした。
これにより、変形例の支持部材６３は上述の第１支持部材６１に比べ、桟部２３への支持部材の取り付け、取り外しが容易に行える。そのため、施工現場において施工作業施工性が向上する。
【００６２】
［第２実施形態］
図１３は、本発明の第２実施形態に係る保温材５０及び第３支持部材６４の斜視図である。この図１３に示すように、本実施形態に係る第３支持部材６４は、保温材５０（図１３では、第４保温材５１Ｄ）の周囲を囲繞するように取り付け固定される。ここで、第３支持部材６４は、第１引掛け部６４Ｂと、第２引掛け部６４Ｃと、保温材支持部６４Ｈと、粘着テープ６４Ｆと、第１取り付け部６４Ｉと、第２取り付け部６４Ｊと、によって構成される。
【００６３】
保温材支持部６４Ｈは、角筒形状の保温材５０の外周に嵌合する形状を有する。より詳しくは、保温材５０の底面に面接触する底面部６４１と、該底面部６４１の両端側から立設して、保温材５０の両側面に面接触する両側面部６４２と、を含んで構成される。
【００６４】
第１引掛け部６４Ｂ及び第２引掛け部６４Ｃは、それぞれ保温材支持部６４Ｈの両側面部６４２に連続して設けられる。より詳しくは、第１引掛け部６４Ｂは、保温材支持部６４Ｈの両側面部６４２における保温材５０の延設方向一端側から立設し、その先端部が外周部２１の上面に面接触するように外側に直角に屈曲して形成される。
また、第２引掛け部６４Ｃは、保温材支持部６４Ｈの両側面部６４２における保温材５０の延設方向他端側から、その先端部が桟部２３の上面に面接触するように外側に直角に屈曲して形成される。これにより、第１引掛け部６４Ｂの下面が外周部２１の上面に引っかかり、また第２引掛け部６４Ｃの下面が桟部２３の上面に引っかかるようになっている。
【００６５】
第１取り付け部６４Ｉと、第２取り付け部６４Ｊは、保温材支持部６４Ｈの底面部６４１を介して対向して設けられる。より詳しくは、これら取り付け部は、保温材支持部６４Ｈの底面部６４１における保温材５０の延設方向一端側から立設し、その先端部が保温材５０の上面に面接触するように内側に直角に屈曲して形成される。これにより、各取り付け部の下面が保温材５０の上面に当接するようになっている。
【００６６】
図１３に示すように、本実施形態に係る第３支持部材６４は、保温材５０（図１３では第４保温材５１Ｄ）に取り付け固定されるものであり、該第３支持部材６４を介して、保温材５０をフレーム２０上に支持させることができる。
なお、本実施形態に係る第３支持部材６４では、外周部２１及び桟部２３に、第１引掛け部６４Ｂ及び第２引掛け部６４Ｃを引っかける場合を説明したが、本発明はこれに限らない。例えば、外周部２１及び外周部２１に第３支持部材６４を引掛ける場合や、桟部２３及び桟部２３に第３支持部材６４を引掛ける場合は、第１引掛け部６４Ｂ及び第２引掛け部６４Ｃの先端の位置を、それぞれ調整する。
【００６７】
本実施形態では、支持部材６０を、保温材５０の一部に取り付けられる構成とした。
これにより、第３支持部材６４を取り付けた保温材５０を、フレーム２０上に容易に支持させることができる。その結果、浴室の床構造の施工作業を効率的なものにできる。
【００６８】
なお、本発明は上記実施形態に限定されるものではなく、本発明の目的を達成できる範囲での変形、改良等は本発明に含まれる。
上記実施形態では、支持部材６０を金属で成形した例で説明したが、別段これに限られず、支持部材６０を樹脂により成形してもよい。
また上記実施形態では、１つの保温材を５つの支持部材６０で支持したが、別段これに限られず、保温材を十分支持できる範囲内で支持部材の数を変更可能である。
【００６９】
［第３実施形態］
図１４は、第３実施形態に係る浴室の床構造における図３のＡ−Ａ線に対応する箇所での断面図であり、図１５は、第３実施形態に係る浴室の床構造における図３のＢ−Ｂ線に対応する箇所での断面図である。
本実施形態では、図１４に示すように桟部２３の下方に直接、第１支持部６５を設けた点、及び図１５に示すように外周部２１に直接、第２支持部６６を設けた点で上述の各実施形態とは相違する。
【００７０】
第１支持部６５は、第１保温材支持部６５Ｄと第２保温材支持部６５Ｅから構成される。該第１支持部６５は、桟部２３（図１４では、第３桟２３Ｃ）の両側面部２３１Ｃの下端に連続して設けられる。
【００７１】
第１保温材支持部６５Ｄと第２保温材支持部６５Ｅは、桟部２３における該桟部２３の延設方向他端側から外側に直角に屈曲して延びて形成される。これにより、各保温材支持部の上面に保温材５０の裏面５２が支持されるようになっている。
【００７２】
第２支持部６６は、保温材支持部６６Ｄにより構成される。ここで、第２支持部６６は、外周部２１（図１５では、短辺梁２１Ｄ）の底面部２１１Ｄに連続して設けられる。
【００７３】
保温材支持部６６Ｄは、外周部２１の底面部２１１Ｄにおける外周部２１の延設方向他端側から保温材５０側に延びて形成される。これにより、保温材支持部６６Ｄの上面に保温材５０の裏面５２が支持されるようになっている。
【００７４】
本実施形態では、第１支持部６５及び第２支持部６６は、それぞれフレーム２０と一体に形成される構成とした。
これにより、フレーム２０上に直接、保温材５０を支持させることができる。その結果、浴室の床構造の施工作業の効率を向上できる。
【符号の説明】
【００７５】
１０…浴室の床構造
１００…躯体
２０…フレーム
２３…桟部
２６Ａ〜２６Ｄ…第１開口部〜第４開口部
３０…防水パン
４０…排水トラップ
５０…保温材
５１Ａ〜５１Ｄ…第１保温材〜第４保温材
６０…支持部材（支持部）
６１…第１支持部材（支持部）
６２…第２支持部材（支持部）
６３…第１支持部材の変形例（変形例の支持部）
６４…第３支持部材（支持部）
６５…第１支持部
６６…第２支持部
６１Ａ〜６３Ａ…本体部
６１Ｂ、６３Ｂ、６４Ｂ…第１引掛け部
６１Ｃ、６３Ｃ、６４Ｃ…第２引掛け部
６２Ｂ…引掛け部
６１Ｄ、６３Ｄ、６５Ｄ…第１保温材支持部
６１Ｅ、６３Ｅ、６５Ｅ…第２保温材支持部
６２Ｄ、６４Ｈ、６６Ｄ…保温材支持部
【図１】
2017133181.tif 000003
【図２】
2017133181.tif 000004
【図３】
2017133181.tif 000005
【図４】
2017133181.tif 000006
【図５】
2017133181.tif 000007
【図６】
2017133181.tif 000008
【図７Ａ】
2017133181.tif 000009
【図７Ｂ】
2017133181.tif 000010
【図７Ｃ】
2017133181.tif 000011
【図８】
2017133181.tif 000012
【図９】
2017133181.tif 000013
【図１０Ａ】
2017133181.tif 000014
【図１０Ｂ】
2017133181.tif 000015
【図１１】
2017133181.tif 000016
【図１２】
2017133181.tif 000017
【図１３】
2017133181.tif 000018
【図１４】
2017133181.tif 000019
【図１５】
2017133181.tif 000020